(57)【要約】    【課題】  正確なＡＦ評価値を取得できるようにするとともに、機器のコストダウンを図る。    【解決手段】  撮像素子１４から画像信号を合焦評価値算出手段（５０）に出力する場合には、撮像素子１４を構成する水平方向の複数の画素から読み出される各画素信号の間引きを行なわずに画像信号を出力し、一方、撮像素子１４から画像信号を画像表示用の信号処理手段（５０）に出力する場合には、撮像素子１４を構成する水平方向の複数の画素から読み出される各画素信号の間引きを行なって画像信号を出力する。【選択図】      図１
2005208392.tif 000002
【特許請求の範囲】
【請求項１】
被写体を撮像するための撮像手段と、
前記撮像手段から画像信号を読み出す際に、水平方向の複数の画素から読み出される各画素信号の間引きを行なって前記画像信号を出力する第１の画像信号出力手段と、
前記撮像手段から画像信号を読み出す際に、水平方向の複数の画素から読み出される各画素信号の間引きを行なわずに前記画像信号を出力する第２の画像信号出力手段と、
合焦評価値を算出する合焦評価値算出手段と、
撮像した画像を表示装置に表示するための信号処理を行なう信号処理手段と、
前記撮像手段から画像信号を前記合焦評価値算出手段に出力する場合には、前記第２の画像信号出力手段を動作させ、前記撮像手段から画像信号を前記信号処理手段に出力する場合には、前記第１の画像信号出力手段を動作させる制御手段と
を有することを特徴とする画像撮像装置。
【請求項２】
前記第１の画像信号出力手段は、前記撮像手段を構成する水平方向の複数の画素のうち隣接する複数の画素から読み出される各画素信号の加算を行なうことを特徴とする請求項１記載の画像撮像装置。
【請求項３】
前記制御手段は、前記撮像手段から画像信号を前記信号処理手段に出力する場合に、被写体明度が所定値よりも低いならば前記第１の画像信号出力手段を動作させる一方、前記被写体明度が前記所定値以上ならば前記第２の画像信号出力手段を動作させることを特徴とする請求項２記載の画像撮像装置。
【請求項４】
少なくとも前記合焦評価値算出手段の動作中には、前記合焦評価値算出手段の動作前に前記表示装置に表示されていた画像を前記表示装置に表示させる画像表示制御手段
を更に有することを特徴とする請求項１の画像撮像装置。
【請求項５】
被写体を撮像するための撮像手段と、合焦評価値を算出する合焦評価値算出手段と、撮像した画像を表示装置に表示するための信号処理を行なう信号処理手段とを備えた画像撮像装置に適用される画像処理方法において、
前記撮像手段から画像信号を前記合焦評価値算出手段に出力する場合には、前記撮像手段を構成する水平方向の複数の画素から読み出される各画素信号の間引きを行なわずに前記画像信号を出力する第１の画像信号出力ステップと、
前記撮像手段から画像信号を前記信号処理手段に出力する場合には、前記撮像手段を構成する水平方向の複数の画素から読み出される各画素信号の間引きを行なって前記画像信号を出力する第２の画像信号出力ステップと
を有することを特徴とする画像処理方法。
【請求項６】
前記第２の画像信号出力ステップは、前記撮像手段を構成する水平方向の複数の画素のうち隣接する複数の画素から読み出される各画素信号の加算を行なうことを特徴とする請求項５記載の画像処理方法。
【請求項７】
前記第２の画像信号出力ステップは、前記撮像手段から画像信号を前記信号処理手段に出力する場合に、被写体明度が所定値よりも低いならば、前記間引きを行なって前記画像信号を出力する一方、前記被写体明度が前記所定値以上ならば前記間引きを行わず前記画像信号を出力することを特徴とする請求項６記載の画像処理方法。
【請求項８】
少なくとも前記合焦評価値算出手段の動作中には、前記合焦評価値算出手段の動作前に前記表示装置に表示されていた画像を前記表示装置に表示させる画像表示制御ステップ
を更に有することを特徴とする請求項５の画像処理方法。
【請求項９】
被写体を撮像するための撮像手段と、合焦評価値を算出する合焦評価値算出手段と、撮像した画像を表示装置に表示するための信号処理を行なう信号処理手段とを備えた画像撮像装置に適用される画像処理方法を、コンピュータに実行させるためのプログラムにおいて、
前記撮像手段から画像信号を前記合焦評価値算出手段に出力する場合には、前記撮像手段を構成する水平方向の複数の画素から読み出される各画素信号の間引きを行なわずに前記画像信号を出力する第１の画像信号出力ステップと、
前記撮像手段から画像信号を前記信号処理手段に出力する場合には、前記撮像手段を構成する水平方向の複数の画素から読み出される各画素信号の間引きを行なって前記画像信号を出力する第２の画像信号出力ステップと
を有することを特徴とするプログラム。
【発明の詳細な説明】
【技術分野】
【０００１】
本発明は、画像撮像装置、画像処理方法、及びプログラムに関し、特に、被写体を撮像するための撮像手段と、合焦評価値を算出する合焦評価値算出手段と、撮像した画像を表示装置に表示するための信号処理を行なう信号処理手段とを備えた画像撮像装置、該画像撮像装置に適用される画像処理方法、及び該画像処理方法をコンピュータに実行させるためのプログラムに関する。
【背景技術】
【０００２】
従来、ディジタルカメラにおいては、撮像素子から得られた画像信号から輝度の高周波成分を抽出してＡＦ（自動焦点調整）評価値とし、このＡＦ評価値が最大になるように焦点距離を調整して、合焦状態を得るようにしている。
【０００３】
ところで、撮像素子から得られた画像信号に対して間引き処理を行ない、得られた信号を用いて表示装置に撮像画像の表示を行なう一方、ＡＦ評価値を取得するときには、この間引き処理は行なわないようにし、これによって、高い合焦精度を確保するようにした撮像装置が、従来存在する（例えば、特許文献１参照）。
【０００４】
この撮像装置では、撮像素子と、該撮像素子から出力される画素信号をＡ／Ｄ変換するＡ／Ｄ変換手段と、前記撮像素子から出力される画素信号に基づいて合焦状態を評価するＡＦ評価値算出手段と、前記撮像素子から出力される画素信号を表示装置に表示させるための信号処理を施す映像信号処理手段と、前記Ａ／Ｄ変換手段の出力を間引く画素信号間引き手段とを備え、前記ＡＦ評価値算出手段へはＡ／Ｄ変換手段の出力を供給し、前記映像信号処理手段へは、デジタル化した画素信号を前記画素信号間引き手段で間引いた後に供給するようにしている。
【特許文献１】特開２００３−３３３４１０号公報
【発明の開示】
【発明が解決しようとする課題】
【０００５】
しかしながら、上記従来の撮像装置では、画素信号をＡＦ評価値算出手段へ供給する場合も、また画素信号間引き手段を介して画素信号を映像信号処理手段へ供給する場合も、いずれの場合も、撮像素子から同一の駆動モードによって画素信号を読み出している。
【０００６】
そのため、上記従来の撮像装置では、正確なＡＦ評価値を取得できない、信号処理のデータ量が膨大になり処理が鈍足になる、また間引きするための回路のコストがかかるなどの問題があった。
【０００７】
本発明はこのような問題点に鑑みてなされたものであって、正確なＡＦ評価値を取得可能であり、機器のコストダウンを図った画像撮像装置、画像処理方法、及びプログラムを提供することを目的とする。
【課題を解決するための手段】
【０００８】
上記目的を達成するために、請求項１記載の発明によれば、被写体を撮像するための撮像手段と、前記撮像手段から画像信号を読み出す際に、水平方向の複数の画素から読み出される各画素信号の間引きを行なって前記画像信号を出力する第１の画像信号出力手段と、前記撮像手段から画像信号を読み出す際に、水平方向の複数の画素から読み出される各画素信号の間引きを行なわずに前記画像信号を出力する第２の画像信号出力手段と、合焦評価値を算出する合焦評価値算出手段と、撮像した画像を表示装置に表示するための信号処理を行なう信号処理手段と、前記撮像手段から画像信号を前記合焦評価値算出手段に出力する場合には、前記第２の画像信号出力手段を動作させ、前記撮像手段から画像信号を前記信号処理手段に出力する場合には、前記第１の画像信号出力手段を動作させる制御手段とを有することを特徴とする画像撮像装置が提供される。
【０００９】
また、請求項５記載の発明によれば、被写体を撮像するための撮像手段と、合焦評価値を算出する合焦評価値算出手段と、撮像した画像を表示装置に表示するための信号処理を行なう信号処理手段とを備えた画像撮像装置に適用される画像処理方法において、前記撮像手段から画像信号を前記合焦評価値算出手段に出力する場合には、前記撮像手段を構成する水平方向の複数の画素から読み出される各画素信号の間引きを行なわずに前記画像信号を出力する第１の画像信号出力ステップと、前記撮像手段から画像信号を前記信号処理手段に出力する場合には、前記撮像手段を構成する水平方向の複数の画素から読み出される各画素信号の間引きを行なって前記画像信号を出力する第２の画像信号出力ステップとを有することを特徴とする画像処理方法が提供される。
【００１０】
さらに、上記画像処理方法をコンピュータに実行させるためのプログラムが提供される。
【発明の効果】
【００１１】
本発明によれば、撮像手段から画像信号を合焦評価値算出手段に出力する場合には、撮像手段を構成する水平方向の複数の画素から読み出される各画素信号の間引きを行なわずに画像信号を出力し、一方、撮像手段から画像信号を画像表示用の信号処理手段に出力する場合には、撮像手段を構成する水平方向の複数の画素から読み出される各画素信号の間引きを行なって画像信号を出力する。
【００１２】
これによって、正確なＡＦ評価値の取得が可能となり、また従来の撮像装置のような、映像信号処理手段の前に設けられる画素信号間引き手段が不要となり、機器の小型化やコストダウンが可能となる。
【発明を実施するための最良の形態】
【００１３】
以下、本発明を実施するための最良の形態について、図面を参照して説明する。
【００１４】
図１は、本発明の一実施の形態に係る画像処理装置の構成を示すブロック図である。この画像処理装置は、静止画像および／または動画像を記録媒体に記録する画像撮像装置である。
【００１５】
図１において、１００は画像処理装置である。
【００１６】
１０は撮影レンズ、１２は、絞り機能を備えるシャッタ、１４は、光学像を電気信号に変換する撮像素子、１６は、撮像素子１４のアナログ信号出力をディジタル信号に変換するＡ／Ｄ変換器である。
【００１７】
１８は、撮像素子１４、Ａ／Ｄ変換器１６、Ｄ／Ａ変換器２６にクロック信号や制御信号を供給するタイミング発生回路であり、メモリ制御回路２２及びシステム制御回路５０により制御される。
【００１８】
２０は画像処理回路であり、Ａ／Ｄ変換器１６からのデータまたはメモリ制御回路２２からのデータに対して所定の画素補間処理や色変換処理を行う。また、画像処理回路２０は、撮像して得られた画像データを用いて所定の演算処理を行い、この得られた演算結果に基づいて、システム制御回路５０が、露光制御部４０、測距制御部４２に対して制御を行い、これによって、ＴＴＬ（スルー・ザ・レンズ）方式のＡＦ（自動焦点調整）処理、ＡＥ（自動露出調整）処理、ＥＦ（フラッシュプリ発光）処理が行なわれる。さらに、画像処理回路２０は、撮像して得られた画像データを用いて所定の演算処理を行い、得られた演算結果に基づいて、ＴＴＬ方式のＡＷＢ（オートホワイトバランス）処理も行っている。
【００１９】
２２はメモリ制御回路であり、Ａ／Ｄ変換器１６、タイミング発生回路１８、画像処理回路２０、画像表示メモリ２４、Ｄ／Ａ変換器２６、メモリ３０、圧縮・伸長回路３２を制御する。
【００２０】
Ａ／Ｄ変換器１６のデータが、画像処理回路２０、メモリ制御回路２２を介して、またはメモリ制御回路２２だけを介して、画像表示メモリ２４またはメモリ３０に書き込まれる。
【００２１】
２４は画像表示メモリ、２６はＤ／Ａ変換器、２８は、ＴＦＴ、ＬＣＤ等から成る画像表示部であり、画像表示メモリ２４に書き込まれた表示用の画像データは、Ｄ／Ａ変換器２６を介して画像表示部２８に送られて表示される。
【００２２】
画像表示部２８を用いて、撮像して得られた画像データを逐次表示すれば、電子ファインダ機能を実現することが可能である。また、画像表示部２８は、システム制御回路５０の指示により表示をＯＮ／ＯＦＦすることが可能であり、表示をＯＦＦにした場合には画像処理装置１００の電力消費を大幅に低減することができる。
【００２３】
３０は、撮影して得られた静止画像や動画像を格納するためのメモリであり、所定枚数の静止画像や所定時間の動画像を格納するのに十分な記憶容量を備えている。これにより、複数枚の静止画像を連続して撮影する連射撮影やパノラマ撮影の場合にも、高速にかつ大量の画像書き込みをメモリ３０に対して行うことが可能となる。また、メモリ３０は、システム制御回路５０の作業領域としても使用することが可能である。
【００２４】
３２は、適応離散コサイン変換（ＡＤＣＴ）等により画像データを圧縮伸長する圧縮・伸長回路であり、メモリ３０に格納された画像を読み出して圧縮処理または伸長処理を行い、処理を終えたデータをメモリ３０に書き込む。
【００２５】
４０は、絞り機能を備えるシャッタ１２を制御する露光制御部であり、フラッシュ４８と連携して実現するフラッシュ調光機能も備える。
【００２６】
４２は、撮影レンズ１０のフォーカシングを制御する測距制御部、４４は、撮影レンズ１０のズーミングを制御するズーム制御部、４６は、撮影レンズ１０を保護するためのバリアである保護部１０２の動作を制御するバリア制御部である。
【００２７】
４８はフラッシュであり、ＡＦ補助光の投光機能、フラッシュ調光機能も有する。
【００２８】
露光制御部４０、測距制御部４２は、ＴＴＬ方式を用いて制御されており、撮像して得られた画像データを画像処理回路２０によって演算した演算結果に基づき、システム制御回路５０が、露光制御部４０、測距制御部４２に対して制御を行う。
【００２９】
５０は、画像処理装置１００全体を制御するシステム制御回路、５２は、システム制御回路５０における動作用の定数、変数、プログラム等を記憶するメモリである。
【００３０】
５４は、システム制御回路５０でのプログラムの実行に応じて、文字、画像、音声等を用いて動作状態やメッセージ等を表示する表示部であり、画像処理装置１００の操作部近辺の視認し易い位置に単数または複数個所設置され、例えばＬＣＤやＬＥＤ、発音素子等の組み合わせにより構成される。また、表示部５４は、その一部の機能が光学ファインダ１０４内に設置される。
【００３１】
表示部５４の表示内容のうち、ＬＣＤ等に表示するものとしては、シングルショット／連写撮影表示、セルフタイマ表示、圧縮率表示、記録画素数表示、記録枚数表示、残撮影可能枚数表示、シャッタスピード表示、絞り値表示、露出補正表示、フラッシュ表示、赤目緩和表示、マクロ撮影表示、ブザー設定表示、時計用電池残量表示、電池残量表示、エラー表示、複数桁の数字による情報表示、記録媒体２００及び記録媒体２１０の着脱状態表示、通信Ｉ／Ｆ動作表示、日付・時刻表示、等がある。
【００３２】
また、表示部５４の表示内容のうち、光学ファインダ１０４内に表示するものとしては、合焦表示、手振れ警告表示、フラッシュ充電表示、シャッタスピード表示、絞り値表示、露出補正表示、等がある。
【００３３】
５６は、電気的に消去・記録可能な不揮発性メモリであり、例えばＥＥＰＲＯＭ等が用いられる。
【００３４】
６０、６２、６４、６６、６８及び７０は、システム制御回路５０に対して各種の動作指示を入力するための操作手段であり、スイッチやダイアル、タッチパネル、視線検知によるポインティング、音声認識装置等の単数または複数の組み合わせで構成される。
【００３５】
ここで、これらの操作手段の具体的な説明を行う。
【００３６】
６０はモードダイアルスイッチであり、電源オフ、自動撮影モード、撮影モード、パノラマ撮影モード、再生モード、マルチ画面再生・消去モード、ＰＣ接続モード等の各機能モードを切り替え設定することができる。
【００３７】
６２はシャッタスイッチＳＷ１であり、不図示のシャッタボタンの操作途中（半押し）でＯＮとなり、ＡＦ処理、ＡＥ処理、ＡＷＢ処理、ＥＦ処理等の処理開始を指示する。
【００３８】
６４はシャッタスイッチＳＷ２であり、不図示のシャッタボタンの操作完了（全押し）でＯＮとなり、撮像素子１２から読み出した信号をＡ／Ｄ変換器１６、メモリ制御回路２２を介してメモリ３０に画像データとして書き込む露光処理、画像処理回路２０やメモリ制御回路２２での演算を用いた現像処理、メモリ３０から画像データを読み出し、圧縮・伸長回路３２で圧縮を行い、記録媒体２００または記録媒体２１０に書き込む記録処理という一連の処理の動作開始を指示する。
【００３９】
６６は、画像表示ＯＮ／ＯＦＦスイッチであり、画像表示部２８のＯＮ／ＯＦＦを設定することができる。この機能により、光学ファインダ１０４を用いて撮影を行う際に、ＴＦＴ、ＬＣＤ等から成る画像表示部２８への電流供給を遮断することにより、省電力を図ることが可能となる。
【００４０】
６８はクイックレビューＯＮ／ＯＦＦスイッチであり、撮影直後に撮影した画像データを自動再生するクイックレビュー機能を設定する。なお、本実施の形態では特に、画像表示部２８をＯＦＦとした場合におけるクイックレビュー機能の設定を行なう機能を備えるものとする。
【００４１】
７０は、各種ボタンやタッチパネル等からなる操作部であり、メニューボタン、セットボタン、マクロボタン、マルチ画面再生改ページボタン、フラッシュ設定ボタン、単写／連写／セルフタイマ切り替えボタン、メニュー移動＋（プラス）ボタン、メニュー移動−（マイナス）ボタン、再生画像移動＋（プラス）ボタン、再生画像−（マイナス）ボタン、撮影画質選択ボタン、露出補正ボタン、日付／時間設定ボタン等が含まれる。
【００４２】
８０は電源制御部であり、電池検出回路、ＤＣ−ＤＣコンバータ、通電するブロックを切り替えるスイッチ回路等により構成されている。電池の装着の有無、電池の種類、電池残量の検出を行い、検出結果及びシステム制御回路５０の指示に基づいてＤＣ−ＤＣコンバータを制御し、必要な電圧を必要な期間、記録媒体２００，２１０を含む各部へ供給する。
【００４３】
８２はコネクタ、８４はコネクタ、８６は、アルカリ電池やリチウム電池等の一次電池やＮｉＣｄ電池やＮｉＭＨ電池、Ｌｉ電池等の二次電池、ＡＣアダプター等からなる電源部である。
【００４４】
９０及び９４は、メモリカードやハードディスク等の記録媒体２００，２１０とのインタフェース、９２及び９６は、記録媒体２００，２１０と接続を行うコネクタ、９８は、コネクタ９２及び／またはコネクタ９６に記録媒体２００または記録媒体２１０が装着されているか否かを検知する記録媒体着脱検知部である。
【００４５】
なお、本実施の形態では、記録媒体を取り付けるインタフェース及びコネクタが２系統備えられているが、記録媒体を取り付けるインタフェース及びコネクタの系統数は、単数であっても、または２以上であってもよい。また、異なる規格の複数系統のインタフェース及びコネクタを備える構成としてもよい。インタフェース及びコネクタとしては、ＰＣＭＣＩＡカードやＣＦ（コンパクトフラッシュ（登録商標））カード等の規格に準拠したものを用いて構成してよい。
【００４６】
なお、インタフェース９０，９４、そしてコネクタ９２，９６をＰＣＭＣＩＡカードやＣＦ（コンパクトフラッシュ（登録商標））カード等の規格に準拠したものを用いて構成した場合、ＬＡＮカードやモデムカード、ＵＳＢカード、ＩＥＥＥ１３９４カード、Ｐ１２８４カード、ＳＣＳＩカード、ＰＨＳ等の通信カード等の各種通信カードを接続することにより、他のコンピュータやプリンタ等の周辺機器との間で画像データや画像データに付属した管理情報を転送し合うことができる。
【００４７】
１０２は、画像処理装置１００のレンズ１０を含む撮像部を覆うことにより、撮像部の汚れや破損を防止する保護部である。
【００４８】
１０４は光学ファインダであり、画像表示部２８による電子ファインダ機能を使用すること無しに、光学ファインダのみを用いて撮影を行うことが可能である。また、光学ファインダ１０４内には、表示部５４の一部の機能、例えば、合焦表示、手振れ警告表示、フラッシュ充電表示、シャッタスピード表示、絞り値表示、露出補正表示などの表示機能が設けられている。
【００４９】
１１０は通信部であり、ＲＳ２３２ＣやＵＳＢ、ＩＥＥＥ１３９４、Ｐ１２８４、ＳＣＳＩ、モデム、ＬＡＮ、無線通信等の各種通信機能を有する。
【００５０】
１１２は、通信部１１０により画像処理装置１００を他の機器と接続するコネクタまたは無線通信の場合はアンテナである。
【００５１】
２００は、メモリカードやハードディスク等からなる記録媒体である。
【００５２】
記録媒体２００は、半導体メモリや磁気ディスク等から構成される記録部２０２、画像処理装置１００とのインタフェース２０４、画像処理装置１００と接続を行うコネクタ２０６を備えている。
【００５３】
２１０は、メモリカードやハードディスク等からなる記録媒体である。
【００５４】
記録媒体２１０は、半導体メモリや磁気ディスク等から構成される記録部２１２、画像処理装置１００とのインタフェース２１４、画像処理装置１００と接続を行うコネクタ２１６を備えている。
【００５５】
こうした構成の画像処理装置１００の動作を以下に説明する。
【００５６】
図２〜図５は、画像処理装置１００の動作を示す主ルーチンのフローチャートである。この主ルーチンは、電池交換後等の電源投入により開始される。
【００５７】
主ルーチンが開始されると、システム制御回路５０がフラグや制御変数等を初期化し（Ｓ１０１）、画像表示部２８の画像表示をＯＦＦ状態に初期設定する（Ｓ１０２）。
【００５８】
システム制御回路５０は、ステップＳ１０３で、モードダイアル６０の設定位置を認識し、モードダイアル６０が電源ＯＦＦに設定されていたならばステップＳ１０５に進んで、各表示部の表示を終了状態に変更し、保護部１０２のバリアを閉じて撮像部を保護し、フラグや制御変数等を含む必要なパラメータや設定値、設定モードを不揮発性メモリ５６に記録し、また電源制御部８０により、画像表示部２８を含む画像処理装置１００の各部の不要な電源を遮断する等の所定の終了処理を行う。その後、ステップＳ１０３に戻る。
【００５９】
ステップＳ１０３で、モードダイアル６０が撮影モードに設定されていたならばステップＳ１０６に進む。また、モードダイアル６０がその他のモードに設定されていたならばステップＳ１０４に進んで、システム制御回路５０は、選択されたモードに応じた処理を実行し、該処理を終えたならばステップＳ１０３に戻る。
【００６０】
ステップＳ１０６では、システム制御回路５０が、電源制御部８０を介して、電池等からなる電源部８６の残容量や動作情況が、画像処理装置１００の正常動作に悪影響を及ぼす状況にあるか否かを判断し、悪影響を及ぼす状況にあるならば（Ｓ１０６でＮＯ）表示部５４を用いて、画像や音声により所定の警告表示を行い（Ｓ１０８）、ステップＳ１０３に戻る。
【００６１】
一方、電源部８６に問題が無いならば（Ｓ１０６でＹＥＳ）、システム制御回路５０は、記録媒体２００または記録媒体２１０の動作状態が、画像処理装置１００の動作、特に記録媒体に対する画像データの記録再生動作に支障を与える状態にあるか否かを判断する（Ｓ１０７）。その結果、支障を与える状態にあるならばステップＳ１０８へ進んで、表示部５４を用いて、画像や音声により所定の警告表示を行い（Ｓ１０８）、ステップＳ１０３に戻る。
【００６２】
一方、支障を与える状態にないならば、表示部５４を用いて、画像や音声により画像処理装置１００の各種設定状態の表示を行う（Ｓ１０９）。なお、画像表示部２８の画像表示がＯＮであったならば、画像表示部２８も用いて、画像や音声により画像処理装置１００の各種設定状態の表示を行う。
【００６３】
次に図３のステップＳ１１０において、システム制御回路５０は、クイックレビューＯＮ／ＯＦＦスイッチ６８の設定状態を調べ、クイックレビューＯＮに設定されていたならばクイックレビューフラグを設定し（Ｓ１１１）、一方、クイックレビューＯＦＦに設定されていたならばクイックレビューフラグを解除する（Ｓ１１２）。なお、クイックレビューフラグの状態は、システム制御回路５０の内部メモリまたはメモリ５２に記憶される。
【００６４】
続いて、システム制御回路５０は、画像表示ＯＮ／ＯＦＦスイッチ６６の設定状態を調べ（Ｓ１１３）、画像表示ＯＮに設定されていたならば、画像表示フラグを設定すると共に（Ｓ１１４）、画像表示部２８の画像表示をＯＮ状態に設定し（Ｓ１１５）、さらに撮像して得られた画像データを逐次表示するスルー表示状態に設定して（Ｓ１１６）、図４のステップＳ１１９に進む。
【００６５】
スルー表示状態に於いては、撮像素子１２、Ａ／Ｄ変換器１６、画像処理回路２０、メモリ制御回路２２を介して、画像表示メモリ２４に逐次書き込まれたデータが、メモリ制御回路２２、Ｄ／Ａ変換器２６を介して画像表示部２８に送られて逐次表示され、これにより、画像表示部２８が電子ファインダ機能を実現している。
【００６６】
ステップＳ１１３で画像表示ＯＮ／ＯＦＦスイッチ６６が画像表示ＯＦＦに設定されていたならば、画像表示フラグを解除すると共に（Ｓ１１７）、画像表示部２８の画像表示をＯＦＦ状態に設定して（Ｓ１１８）、図４のステップＳ１１９に進む。
【００６７】
画像表示ＯＦＦの場合は、ユーザは画像表示部２８による電子ファインダ機能を使用せず、光学ファインダ１０４を用いて撮影を行う。この場合、電力消費量の大きい画像表示部２８やＤ／Ａ変換器２６等の消費電力を削減することが可能となる。なお、画像表示フラグの状態は、システム制御回路５０の内部メモリまたはメモリ５２に記憶される。
【００６８】
図４のステップＳ１１９では、システム制御回路５０が、シャッタスイッチ（ＳＷ１）６２の操作状態を認識して、ＯＦＦであればステップＳ１０３に戻る。一方、ＯＮであれば、システム制御回路５０は、システム制御回路５０の内部メモリまたはメモリ５２に記憶される画像表示フラグの状態を認識し（Ｓ１２０）、画像表示フラグが設定されていたならば（Ｓ１２０でＯＮ）、画像表示部２８の表示状態をフリーズ表示状態に設定して（Ｓ１２１）、ステップＳ１２２に進む。一方、画像表示フラグが解除されていたならば（Ｓ１２０でＯＦＦ）、ステップＳ１２２に進む。
【００６９】
フリーズ表示状態に於いては、撮像素子１２、Ａ／Ｄ変換器１６、画像処理回路２０、メモリ制御回路２２を介した画像表示メモリ２４の画像データ書き換えを禁止し、最後に書き込まれた画像データを、メモリ制御回路２２、Ｄ／Ａ変換器２６を介して画像表示部２８に送って表示し、これにより、フリーズした映像を電子ファインダに表示する。
【００７０】
次のステップＳ１２２では、システム制御回路５０が、測距処理を行って撮影レンズ１０の焦点を被写体に合わせ、測光処理を行って絞り値Ｅ及びシャッタ時間を決定する。測光処理に於いて、必要であればフラッシュの設定も行う。
【００７１】
このステップＳ１２２の測距・測光処理については、図６を参照して詳しく後述する。
【００７２】
測距・測光処理のステップＳ１２２を終えたならば、システム制御回路５０が、システム制御回路５０の内部メモリまたはメモリ５２に記憶される画像表示フラグの状態を認識し（Ｓ１２３）、画像表示フラグが設定されていたならば（Ｓ１２３でＯＮ）、画像表示部２８の表示状態をスルー表示状態に設定して（Ｓ１２４）、ステップＳ１２５に進む。画像表示フラグが解除されていたならば（Ｓ１２３でＯＦＦ）、ステップＳ１２４をスキップして、ステップＳ１２５に進む。なお、ステップＳ１２４でのスルー表示は、ステップＳ１１６でのスルー表示と同じ動作である。
【００７３】
次のステップＳ１２５では、システム制御回路５０が、シャッタスイッチ（ＳＷ２）６４の操作状態を認識して、ＯＦＦであればステップＳ１２６に進み、ＯＮであればステップＳ１２７へ進む。ステップＳ１２６では、システム制御回路５０が、シャッタスイッチ（ＳＷ１）６２の操作状態を認識して、ＯＦＦであればステップＳ１０３へ戻り、ＯＮであればステップＳ１２５へ戻る。
【００７４】
ステップＳ１２７では、システム制御回路５０が、システム制御回路５０の内部メモリまたはメモリ５２に記憶されている画像表示フラグの状態を認識し、画像表示フラグが設定されていたならば（Ｓ１２７でＯＮ）、画像表示部２８の表示状態を固定色表示状態に設定して（Ｓ１２８）、ステップＳ１２９に進む。画像表示フラグが解除されていたならば（Ｓ１２７でＯＦＦ）、ステップＳ１２８をスキップして、ステップＳ１２９に進む。
【００７５】
固定色表示状態に於いては、撮像素子１２、Ａ／Ｄ変換器１６、画像処理回路２０、メモリ制御回路２２を介して画像表示メモリ２４に書き込まれた撮影画像データの代わりに、それと差し替えられた固定色の画像データを、メモリ制御回路２２、Ｄ／Ａ変換器２６を介して画像表示部２８に送って表示し、これにより、固定色の映像を電子ファインダに表示する。
【００７６】
ステップＳ１２９では、システム制御回路５０が、撮像素子１２から、Ａ／Ｄ変換器１６、画像処理回路２０、メモリ制御回路２２を介してメモリ３０に、または、Ａ／Ｄ変換器１６、メモリ制御回路２２を介してメモリ３０に、撮影した画像データを書き込む露光処理と、メモリ制御回路２２また必要に応じて画像処理回路２０を用いて、メモリ３０に書き込まれた画像データを読み出して各種処理を行う現像処理とからなる撮影処理を実行する。
【００７７】
このステップＳ１２９の撮影処理については、図７を参照して詳しく後述する。
【００７８】
次に図５のステップＳ１３０において、システム制御回路５０が、システム制御回路５０の内部メモリまたはメモリ５２に記憶されている画像表示フラグの状態を認識し、画像表示フラグが設定されていたならば（Ｓ１３０でＯＮ）、クイックレビュー表示を行う（Ｓ１３３）。この場合は、撮影中も画像表示部２８が電子ファインダとして常に表示された状態であり、撮影直後のクイックレビュー表示も行われる。
【００７９】
画像表示フラグが解除されていたならば（Ｓ１３０でＯＦＦ）、システム制御回路５０の内部メモリまたはメモリ５２に記憶されているクイックレビューフラグの状態を認識し（Ｓ１３１）、クイックレビューフラグが設定されていたならば（Ｓ１３１でＯＮ）、画像表示部２８の画像表示をＯＮ状態に設定し（Ｓ１３２）、クイックレビュー表示を行う（Ｓ１３３）。クイックレビューフラグが解除されていたならば（Ｓ１３１でＯＦＦ）、ステップＳ１３４へ進む。
【００８０】
このように、本実施の形態によれば、省電力のため、または光学ファインダ１０４を用いて撮影を行うため、電子ファインダ機能を用いず、画像表示部２８の画像表示をＯＦＦに設定していたとしても、クイックレビューＯＮ／ＯＦＦスイッチ６８によりクイックレビュー機能が設定されていれば、撮影を行った直後に自動的に撮影画像を画像表示部２８に再生することが可能となり、省電力の実行と撮影画像の確認との両立を図った便利な機能を提供することができる。
【００８１】
画像表示フラグが解除され（Ｓ１３０でＯＦＦ）、クイックレビューフラグも解除されていたならば（Ｓ１３１で０ＦＦ）、画像表示部２８がＯＦＦの状態のままステップＳ１３４に進む。この場合は、撮影を行った直後も画像表示部２８は消えたままであり、クイックレビュー表示も行われない。これは、光学ファインダ１０４を用いて撮影を続ける場合のように、撮影直後に撮影画像の確認が不要であるとともに、画像表示部２８の電子ファインダ機能を使用せずに省電力を重視する場合の使用方法である。
【００８２】
ステップＳ１３４では、システム制御回路５０が、メモリ３０に書き込まれた撮影画像データを読み出して、メモリ制御回路２２そして必要に応じて画像処理回路２０を用いて各種画像処理を行い、また、圧縮・伸長回路３２を用いて設定したモードに応じて画像圧縮処理を行った後、記録媒体２００または記録媒体２１０へ画像データの書き込みを行う記録処理を実行する。
【００８３】
このステップＳ１３４の記録処理については、図８を参照して詳しく後述する。
【００８４】
ステップＳ１３４の記録処理が終了した後、ステップＳ１３５において、システム制御回路５０は、シャッタスイッチ（ＳＷ２）６４の操作状態を認識し、ＯＮ状態であったならばステップＳ１３６へ進んで、システム制御回路５０の内部メモリまたはメモリ５２に記憶されている連写フラグの状態を認識する。その結果、連写フラグが設定されていたならば（Ｓ１３６でＯＮ）、連続して撮影を行うためにステップＳ１２９に戻り、次の撮影を行う。一方、連写フラグが設定されていないならば（Ｓ１３６でＯＦＦ）、ステップＳ１３５に戻り、シャッタスイッチ（ＳＷ２）６４がＯＦＦになるまで、ステップＳ１３５、Ｓ１３６の処理を繰り返す。
【００８５】
このように、本実施の形態によれば、撮影直後にクイックレビュー表示を行う動作設定状態の場合に、記録処理を行うステップＳ１３４が終了した際にシャッタスイッチＳＷ２がＯＮ状態であったならば、画像表示部２８におけるクイックレビュー表示が、シャッタスイッチＳＷ２がＯＦＦになるまでを継続され、これによって撮影画像の確認を入念に行うことを可能にしている。
【００８６】
記録処理のステップＳ１３４が終了した際にシャッタスイッチＳＷ２がＯＦＦ状態であったならば（Ｓ１３５でＯＦＦ）、または、シャッタスイッチＳＷ２がＯＮ状態であってクイックレビュー表示が継続して行なわれて撮影画像の確認が行なわれた後に、シャッタスイッチＳＷ２がＯＦＦ状態となったならば（Ｓ１３５でＯＦＦ）、所定のミニマムレビュー時間の経過を待ち（Ｓ１３７）、経過するとステップＳ１３８に進む。
【００８７】
このように、本実施の形態によれば、画像表示部２８におけるクイックレビュー表示を、最低でも所定のミニマムレビュー時間だけ継続する。これにより、撮影画像の確認を確実に行うことを可能とすると共に、後述のステップＳ１３９、Ｓ１４０の実行によってクイックレビュー表示を停止して、不必要に長時間に亘ってクイックレビュー表示を継続して次の撮影チャンスを失うことを防止することができる。
【００８８】
なお、このミニマムレビュー時間は、固定値としても、使用者が任意に設定することが可能としても、さらには所定の範囲内で使用者が任意に設定または選択することが可能としてもよい。
【００８９】
次にステップＳ１３８では、システム制御回路５０が、画像表示フラグが設定されているか否かを判別し、画像表示フラグが設定されていれば（Ｓ１３８でＯＮ）、画像表示部２８の表示状態をスルー表示状態に設定して（Ｓ１３９）、ステップＳ１４１に進む。
【００９０】
この場合、画像表示部２８でのクイックレビュー表示によって撮影画像を確認した後に、次の撮影のために撮像した画像データを逐次表示するスルー表示状態にすることができる。
【００９１】
画像表示フラグが解除されていたならば（Ｓ１３８でＯＦＦ）、画像表示部２８の画像表示をＯＦＦ状態に設定して（Ｓ１４０）、ステップＳ１４１に進む。
【００９２】
この場合、画像表示部２８でのクイックレビュー表示によって撮影画像を確認した後に、省電力のために画像表示部２８の機能を停止して、電力消費量の大きい画像表示部２８やＤ／Ａ変換器２６等の消費電力を削減することが可能となる。
【００９３】
ステップＳ１４１では、システム制御回路５０が、シャッタスイッチ（ＳＷ１）６２の操作状態を認識し、ＯＮ状態であったならば、ステップＳ１２５に戻って次の撮影に備える。一方、ＯＦＦ状態であったならば、システム制御回路５０は、一連の撮影動作を終えてステップＳ１０３に戻る。
【００９４】
図６は、図４のステップＳ１２２における測距・測光処理の詳細な手順を示すフローチャートである。
【００９５】
システム制御回路５０は、撮像素子１４から電荷信号を読み出し、Ａ／Ｄ変換器１６を介して画像処理回路２０に撮影画像データを逐次読み込む（Ｓ２０１）。この逐次読み込まれた画像データを用いて、画像処理回路２０は、ＴＴＬ（スルー・ザ・レンズ）方式のＡＥ（自動露出）処理、ＥＦ（フラッシュプリ発光）処理、ＡＦ（オートフォーカス）処理に用いる所定の演算を行なう。
【００９６】
なお、ここでの各処理では、撮影した画面のうち必要に応じた特定の部分を必要個所分切り取って抽出し、それらを構成する画素の電荷信号に対して演算を行なう。これにより、ＴＴＬ方式のＡＥ、ＥＦ、ＡＷＢ、ＡＦの各処理において、中央重点モード、平均モード、評価モード等の異なるモード毎に最適な演算を行うことが可能となる。
【００９７】
ステップＳ２０２では、画像処理回路２０での演算結果を用いて、システム制御回路５０が、露出（ＡＥ）が適正であるか否かを判断する。適正でない場合（Ｓ２０２でＮＯ）、露光制御部４０を用いてＡＥ制御を行う（Ｓ２０３）。そしてステップ２０４へ進む。
【００９８】
ステップＳ２０４では、ＡＥ制御で得られた測定データを用いて、システム制御回路５０は、フラッシュ（閃光）が必要か否かを判断し、フラッシュが必要ならば（Ｓ２０４でＹＥＳ）、フラッシュ・フラグをセットし、フラッシュ４８を充電する（Ｓ２０５）。一方、フラッシュが不必要ならば（Ｓ２０４でＮＯ）、ステップＳ２０１へ戻る。
【００９９】
ステップＳ２０２で、露出（ＡＥ）が適正であると判断されたならば（Ｓ２０２でＹＥＳ）、測定データ及び／または設定パラメータをシステム制御回路５０の内部メモリまたはメモリ５２に記憶し、ステップＳ２０６へ進んで、画像処理回路２０での演算結果及びＡＥ制御で得られた測定データを用いて、システム制御回路５０は、ホワイトバランス（ＡＷＢ）が適正であるか否かを判断する。その結果、適正でなければ（Ｓ２０６でＮＯ）ステップＳ２０７へ進んで、画像処理回路２０を用いて色処理のパラメータを調節し、ＡＷＢ制御を行う。そしてステップＳ２０１へ戻る。
【０１００】
一方、ホワイトバランス（ＡＷＢ）が適正であると判断されたならば（Ｓ２０６でＹＥＳ）、測定データ及び／または設定パラメータをシステム制御回路５０の内部メモリまたはメモリ５２に記憶し、ステップＳ２０８へ進む。
【０１０１】
ステップＳ２０８では、ＡＥ制御及びＡＷＢ制御で得られた測定データを用いて、システム制御回路５０は、測距（ＡＦ）が合焦であるか否かを判断する。その結果、合焦でなければ（Ｓ２０８でＮＯ）ステップＳ２０９へ進んで、測距制御部４２を用いてＡＦ制御を行う。そしてステップＳ２０１へ戻る。なお、ステップＳ２０８でのＡＦ制御では、撮像素子１４の駆動モードを水平間引き無しのモードに設定するが、これについては図９を参照して後述する。
【０１０２】
一方、測距（ＡＦ）が合焦と判断されたならば（Ｓ２０８でＹＥＳ）、測定データ及び／または設定パラメータをシステム制御回路５０の内部メモリまたはメモリ５２に記憶し、測距・測光処理を終了して、図４のステップ１２３へ進む。
【０１０３】
図７は、図４のステップＳ１２９における撮影処理の詳細な手順を示すフローチャートである。
【０１０４】
システム制御回路５０は、システム制御回路５０の内部メモリまたはメモリ５２に記憶される測光データに従い、露光制御部４０によって、絞り機能を有するシャッタ１２を絞り値に応じた量だけ開放して（Ｓ３０１）撮像素子１０の露光を開始する（Ｓ３０２）。
【０１０５】
フラッシュ・フラグによりフラッシュ４８が必要か否かを判断し（Ｓ３０３）、必要な場合は（Ｓ３０３でＹＥＳ）フラッシュを発光させる（Ｓ３０４）。不必要な場合は（Ｓ３０３でＮＯ）ステップＳ３０４をスキップする。
【０１０６】
システム制御回路５０は、測光データに従って撮像素子１２の露光終了を待ち（Ｓ３０５）、露光終了すると（Ｓ３０５でＹＥＳ）シャッタ１２を閉じて（Ｓ３０６）、撮像素子１４から電荷信号を読み出し、Ａ／Ｄ変換器１６、画像処理回路２０、メモリ制御回路２２を介して、またはＡ／Ｄ変換器１６、メモリ制御回路２２を介して、メモリ３０に撮影画像データとして書き込む（Ｓ３０７）。
【０１０７】
設定された撮影モードに応じて、フレーム処理を行う必要があるか否かを判別し（Ｓ３０８）、必要があるならば（Ｓ３０８でＹＥＳ）、システム制御回路５０は、メモリ制御回路２２そして必要に応じて画像処理回路２０を用いて、メモリ３０に書き込まれた画像データを順次読み出して垂直加算処理を行い（Ｓ３０９）、また色処理を行なう（Ｓ３１０）。そして、処理を終えた画像データをメモリ３０に書き込む。一方、フレーム処理を行う必要がないならば（Ｓ３０８でＮＯ）、ステップＳ３０９、Ｓ３１０をスキップする。
【０１０８】
その後、システム制御回路５０は、メモリ３０から画像データを読み出し、メモリ制御回路２２を介して画像表示メモリ２４に表示画像データの転送を行う（Ｓ３１１）。
【０１０９】
一連の撮影処理を終えたならば、図５のステップＳ１３０へ進む。
【０１１０】
図８は、図５のステップＳ１３４における記録処理の詳細な手順を示すフローチャートである。
【０１１１】
システム制御回路５０は、メモリ制御回路２２そして必要に応じて画像処理回路２０を用いて、メモリ３０に書き込まれた撮影画像データを読み出し、撮像素子１４の縦横画素比率を１：１に補間する画素正方化処理を行い（Ｓ４０１）、処理を終えた画像データをメモリ３０に書き込む。
【０１１２】
そして、メモリ３０に書き込まれた画像データを読み出して、設定したモードに応じた画像圧縮処理を圧縮・伸長回路３２により行い（Ｓ４０２）、その後、インタフェース９０またはインタフェース９４、コネクタ９２またはコネクタ９６を介して、メモリカードやコンパクトフラッシュ（登録商標）カード等の記録媒体２００または記録媒体２１０へ、圧縮した画像データの書き込みを行う（Ｓ４０３）。
【０１１３】
記録媒体２００または記録媒体２１０への書き込みが終わったならば、図５のステップＳ１３５へ進む。
【０１１４】
次に、シャッタスイッチ（ＳＷ１）６２のＯＮ時における撮像素子１４の駆動モードについて、図９を参照して説明する。
【０１１５】
図９は、シャッタスイッチ（ＳＷ１）６２のＯＮ時における撮像素子１４の駆動モードを示すタイミングチャートである。
【０１１６】
図９において、（Ａ）は、撮像素子１４に印加される垂直同期信号(ＶＤ)を示し、（Ｂ）は、画像処理装置１００の動作状態（カメラステータス）を示し、（Ｃ）は撮像素子１４（ＣＣＤ）の駆動モードを示し、（Ｄ）は画像表示部２８の表示状態を示す。
【０１１７】
２次元形状の撮像素子１４から電荷信号を読み出すための方式として、本実施の形態では３つの駆動モードがあり、第１の駆動モードは、垂直方向に水平ラインを間引くとともに、水平ラインにおける隣接する複数の画素の電荷信号を加算することによって水平方向に画素を間引く方式であり、第２の駆動モードは、垂直方向に水平ラインを間引くとともに、水平方向に画素を間引くことは行わない方式であり、第３の駆動モードは、垂直方向に水平ラインを間引くことも、水平方向に画素を間引くことは行わず、全画素から電荷信号を読み出す方式である。第３の駆動モードは、シャッタスイッチ（ＳＷ２）６４のＯＮ時における撮影処理において選択される駆動モードである。
【０１１８】
なお、垂直同期信号(ＶＤ)に同期して撮像素子１４から１フレーム分の電荷信号（画像信号）が読み出される。
【０１１９】
シャッタスイッチ（ＳＷ１）６２のＯＮ前には、画像処理装置１００の動作状態（カメラステータス）は通常のファインダ状態（ＥＶＦ：Ｂ１）にあり、画像表示がＯＮに設定された画像表示部２８はスルー表示状態となって（図３のステップＳ１１６参照）、画像表示部２８にはライブ画像が表示されている（Ｄ１）。このときの撮像素子１４は、第１の駆動モード（水平間引きモード：Ｃ１）で動作している。
【０１２０】
シャッタスイッチ（ＳＷ１）６２がＯＮ状態となると、ＡＦ処理を行う前の測光処理（ＡＥ前ＡＥ：Ｂ２）を行う。このときの撮像素子１４は、第１の駆動モード（水平間引きモード：Ｃ２）の動作を継続する。そして、測光データを基にして露出制御（ＡＥ）が行なわれる（図６のステップＳ２０３参照）。
【０１２１】
露出制御が完了すると、ＡＦ評価値を取得するために（Ｂ３）、撮像素子１４を、第２の駆動モード（間引きなしモード：Ｃ３）で駆動する。その際に、駆動モードの変更に伴う画像変化を画像表示部２８に表示することは、画像処理装置１００の画像品位を損なうため、画像処理装置１００の表示画像はフリーズさせておく（Ｄ２、図４のステップＳ１２１参照）。
【０１２２】
ＡＦ評価値取得中（Ｂ３）は、撮像素子１４を、第２の駆動モード（間引きなしモード：Ｃ３）で駆動し、ＡＦ評価値の取得が終了したら（Ｂ４）、撮像素子１４を第１の駆動モード（水平間引きモード：Ｃ４）の動作状態に戻す。そして、画像処理装置１００のフリーズ表示を解除し、画像表示部２８をスルー表示状態にする（Ｄ３、図４のステップＳ１２４参照）。
【０１２３】
以上のように、撮像素子１４の駆動モードを遷移させることによって、正確なＡＦ評価値の取得が可能となり、また従来の撮像装置のような、映像信号処理手段の前に設けられる画素信号間引き手段が不要となり、機器の小型化やコストダウンが可能となる。
【０１２４】
なお、上記実施の形態では、測光処理中（図９（Ｂ）のＢ２）に、撮像素子１４を一律に第１の駆動モード（水平間引きモード：Ｃ２）で駆動しているが、これに代わって、被写体画像が暗い場合には、撮像素子１４を第１の駆動モード（水平間引きモード）で駆動し、一方、被写体画像が明るい場合には、撮像素子１４を第２の駆動モード（間引きなしモード）で駆動し、これによって測光精度を向上させるようにしてもよい。
【０１２５】
〔他の実施の形態〕
なお、本発明の目的は、前述した実施の形態の機能を実現するソフトウェアのプログラムコードを記録した記憶媒体を、システムまたは装置に供給し、そのシステムまたは装置のコンピュータ（またはＣＰＵ、ＭＰＵ等）が記憶媒体に格納されたプログラムコードを読み出して実行することによっても達成される。
【０１２６】
この場合、記憶媒体から読み出されたプログラムコード自体が本発明の新規な機能を実現することになり、そのプログラムコードを記憶した記憶媒体およびプログラムは本発明を構成することになる。
【０１２７】
また、プログラムコードを供給するための記憶媒体としては、例えば、フレキシブルディスク、ハードディスク、光ディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭ等を用いることができる。
【０１２８】
また、コンピュータが読み出したプログラムコードを実行することにより、前述した実施の形態の機能が実現されるだけでなく、そのプログラムコードの指示に基づき、コンピュータ上で稼動しているＯＳ（オペレーティングシステム）等が実際の処理の一部または全部を行い、その処理によって前述した実施の形態の機能が実現される場合も含まれる。
【０１２９】
更に、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施の形態の機能が実現される場合も含まれる。
【図面の簡単な説明】
【０１３０】
【図１】本発明の一実施の形態に係る画像処理装置の構成を示すブロック図である。
【図２】画像処理装置の動作を示す主ルーチンのフローチャート（１／４）である。
【図３】画像処理装置の動作を示す主ルーチンのフローチャート（２／４）である。
【図４】画像処理装置の動作を示す主ルーチンのフローチャート（３／４）である。
【図５】画像処理装置の動作を示す主ルーチンのフローチャート（４／４）である。
【図６】図４のステップＳ１２２における測距・測光処理の詳細な手順を示すフローチャートである。
【図７】図４のステップＳ１２９における撮影処理の詳細な手順を示すフローチャートである。
【図８】図５のステップＳ１３４における記録処理の詳細な手順を示すフローチャートである。
【図９】シャッタスイッチＳＷ１のＯＮ時における撮像素子の駆動モードを示すタイミングチャートである。
【符号の説明】
【０１３１】
１０：撮影レンズ
１２：シャッタ
１４：撮像素子（撮像手段）
１６：Ａ／Ｄ変換器
１８：タイミング発生回路
２０：画像処理回路
２２：メモリ制御回路
２４：画像表示メモリ
２６：Ｄ／Ａ変換器
２８：画像表示部（表示装置）
３０：メモリ
３２：画像圧縮・伸長回路
４０：露光制御部
４２：測距制御部
４４：ズーム制御部
４６：バリア制御部
４８：フラッシュ
５０：システム制御回路（第１及び第２の画像信号出力手段、合焦評価値算出手段、信号処理手段、制御手段）
５２：メモリ
５４：表示部
５６：不揮発性メモリ
６０：モードダイアルスイッチ
６２：シャッタスイッチＳＷ１
６４：シャッタスイッチＳＷ２
６６：画像表示ＯＮ／ＯＦＦスイッチ
６８：クイックレビューＯＮ／ＯＦＦスイッチ
７０：操作部
８０：電源制御部
８２：コネクタ
８４：コネクタ
８６：電源手段
９０：インタフェース
９２：コネクタ
９４：インタフェース
９６：コネクタ
９８：記録媒体着脱検知部
１００：画像処理装置（画像撮像装置）
１０２：保護部
１０４：光学ファインダ
１１０：通信部
１１２：コネクタ（またはアンテナ）
２００：記録媒体
２０２：記録部
２０４：インタフェース
２０６：コネクタ
２１０：記録媒体
２１２：記録部
２１４：インタフェース
２１６：コネクタ
【図１】
2005208392.tif 000003
【図２】
2005208392.tif 000004
【図３】
2005208392.tif 000005
【図４】
2005208392.tif 000006
【図５】
2005208392.tif 000007
【図６】
2005208392.tif 000008
【図７】
2005208392.tif 000009
【図８】
2005208392.tif 000010
【図９】
2005208392.tif 000011